(57)【特許請求の範囲】
【請求項１】
任意の共聴信号を受信する受信部と該受信部にて受信した共聴信号を各端末受像装置に伝送する有線経路とを備える共聴システム内に、連絡事項を含む任意の映像信号を格納する記憶手段を備えると共に前記任意の映像信号を送出する掲示装置を設け、該掲示装置から送出した映像信号を前記有線経路を介して各端末受像装置に伝送する共聴システムにおける電子掲示板システムにおいて、
前記掲示装置は、
前記記憶手段に格納される連絡事項を含む映像信号が入力される第一の入力手段と、
前記記憶手段に格納される前記連絡事項を含む映像信号と異なる防災又は防犯目的の監視対象を撮影する監視カメラからの映像信号が入力される第二の入力手段と、
前記記憶手段に格納された映像信号と第二の入力手段に入力される映像信号とを任意に選択して送出する選択手段と、を備え、
前記記憶手段には前記第１の入力手段から入力された複数の連絡事項を含む映像信号を予め格納でき、
前記掲示装置はさらに、
前記選択手段によって選択され送出されるべき映像信号が前記記憶手段に格納されているかを判断する判断手段と、
前記判断手段により前記送出されるべき映像信号が前記記憶手段に格納されている場合には、前記記憶手段に格納された前記映像信号を所定の時間間隔で順次送出し、前記送出されるべき映像信号が格納されていないと判断された場合には、前記選択手段によって選択される信号を前記第二の入力手段に入力された映像信号に切り替えて監視対象の映像を各端末受像装置に送信する切替手段と、
を備えてなることを特徴とする共聴システムにおける電子掲示板システム。
【請求項２】
前記記憶手段に格納された映像信号と前記第二の入力手段に入力された信号とを順次切り替えて送出するように設定する操作手段を備えたことを特徴とする請求項１に記載の共聴システムにおける電子掲示板システム。
【発明の詳細な説明】
【０００１】
【発明の属する技術分野】
本発明は、受信部にて受信した共聴信号を各端末受像装置に伝送する有線経路を備える共聴システム内に、任意の信号を格納する記憶手段を備えると共に前記任意の信号を送出する掲示装置を設け、該掲示装置から送出した信号を前記有線経路を介して各端末受像装置に伝送する共聴システムにおける電子掲示板システムにおいて、記憶手段に送出すべき信号が格納されているか否かにかかわらず各住戸に情報を提供することができると共に防犯や防災にも役立つ共聴システムにおける電子掲示板システムに関するものである。
【０００２】
【従来の技術】
マンション等の共同住宅において全住戸に対して連絡事項を伝える必要がある場合に、共同住宅の敷地内、例えばエレベータホール等に掲示板を設け、該掲示板に張り紙を張ることで連絡事項を告知する方法や連絡事項を記載した回覧物を順次回覧させる方法によって全住戸に連絡事項を伝えることが考えられる。
しかし掲示板を設けて告知する方法では、共同住宅の美観を損ねるといった問題や掲示板に子供がいたずらをするおそれがあるといった問題があり、また回覧物を順次回覧させる方法では、回覧するのを忘れたりあるいは留守がちな住戸などがあるため全住戸に回覧させるまでにはかなりの日時がかかってしまうという問題がある。
【０００３】
近年ではこのような問題に鑑みて、共同住宅の共聴システムを利用して連絡事項を全住戸に伝える共聴システムを利用した電子掲示板システムが提供されている。この共聴システムを利用した電子掲示板システムは、全住戸に対する連絡事項として複数の静止画の掲示画面を記憶することができ、テレビの空きチャンネルを電子掲示板システム用のチャンネルとして割り当て、順次１画面ずつ切り替えて映像や音声からなる掲示画面の信号を共聴システム内の信号と混合して各住戸に伝送するものである。これにより各住戸のテレビを前記電子掲示板用のチャンネルに合わせれば、連絡事項に対応した映像、音声がテレビに出力されることとなる。
【０００４】
ここで、従来の共聴システムにおける電子掲示板システムの構成図を図４に示す。前記共聴システムは、ＶＨＦ、ＵＨＦ、ＢＳ、ＣＳなどの地上波・衛星波を受信するアンテナを全住戸で共有することによって、高品質の映像信号及び音声信号（以下、映像信号及び音声信号を総称して映像音声信号という。）を各住戸に安定供給するものである。この共聴システムは、前記ＶＨＦ、ＵＨＦなどの信号を受信するアンテナ群１ａ及びこれらのアンテナ群１ａによって受信された信号を混合する混合器１ｂからなる受信部１と、この受信部１により受信した信号（以下、共聴信号という。）を各住戸２において映像及び音声として出力する端末受像装置としてのテレビ３と、から構成される。
【０００５】
ここで前記受信部１には幹線ケーブル４が接続され、この幹線ケーブル４の途中には、分配器又は分岐器を設置することにより複数の分岐点５が設けられる。さらにこの分岐点５からは分岐ケーブル６が各住戸２に向かって延びており、該分岐ケーブル６の他端は各住戸の壁面などに設けられたテレビ端子７に接続される。前記テレビ端子７には各住戸のテレビがテレビケーブル８を介して接続される。
これら幹線ケーブル４、分岐ケーブル６、テレビケーブル８には同軸ケーブルが用いられ、これらのケーブルは前記受信部１から各住戸のテレビに共聴信号を伝送する有線経路を形成する。
なお前記幹線ケーブル４には、入力された信号を増幅する増幅器９が共同住宅の規模に応じて所々に設けられており、前記共聴信号はこの増幅器９を通過することで、所定の出力に増幅されて各住戸のテレビ３に伝送される。
【０００６】
従来の共聴システムにおける電子掲示板システムにおいては、各住戸２に対して連絡事項を伝えようとする者（以下、発信者という。）の部屋（例えば管理人室や守衛室）に、各住戸に連絡事項を音声及び映像の信号として発信可能な掲示装置１００が設けられ、幹線ケーブル４の受信部１の出力側には掲示装置１００から発信された信号を共聴信号と混合する混合器１０が設けられる。
掲示装置１００は、同軸ケーブル１１を介して混合器１０と接続されている。掲示装置１００から発信された信号が、同軸ケーブル１１を介して伝送され、混合器１０にて共聴システムの共聴信号と混合されることで連絡事項としての映像音声が各住戸のテレビ３に出力される。
【０００７】
ここで前記掲示装置１００は、図５に示すように映像信号を入力する映像入力端子１０１と、音声信号を入力する音声入力端子１０２と、映像入力端子１０１に入力された映像信号を格納し必要に応じて再生する記憶部１０３と、記憶部１０３に格納された映像信号を所定の周波数に変調して出力する変調器１０４と、変調器１０４により変調された信号を出力する出力端子１０５と、を同一筐体内に備えてなり、映像入力端子１０１及び音声入力端子１０２に入力された連絡事項としての映像音声信号が変調器１０４により変調され、出力端子１０５から出力される。
【０００８】
掲示装置１００の映像入力端子１０１及び音声入力端子１０２には、映像信号を出力可能な装置及び音声信号を出力可能な装置により出力された信号が入力される。例えば、原稿台の上にカメラが設置されたビュアーなどの映像信号を出力可能な装置又はマイク、テープレコーダーなどの音声信号を出力可能な装置により出力された信号を入力する。
ここで映像入力端子１０１には映像信号がアナログ信号として入力されるが、掲示装置１００の記憶部１０３は、該映像入力端子１０１に入力された映像信号をデジタル化して格納し、また必要に応じてデジタル化された映像信号をアナログ化して再生出力するものである。
このような記憶部１０３を掲示装置１００に設けることによって、発信者は連絡事項としての映像信号（掲示画面）を予め該記憶部１０３に複数画面分格納しておき、実際に発信の必要が生じたときに記憶部１０３に格納された映像信号から任意の映像信号を選択して順次１画面毎に各住戸に発信しているのである。
【０００９】
掲示装置１００の記憶部１０３は、図６に示すように映像入力端子１０１に入力されたアナログ信号をデジタル信号に変換するＡ／Ｄ変換器１０３ａと、Ａ／Ｄ変換器１０３ａにより変換されたデジタル信号を格納するメモリ１０３ｂと、該メモリ１０３ｂに対する読み書き及び信号の入出力を制御する制御部１０３ｃと、メモリ１０３ｂに格納されたデジタル信号をアナログ信号に変換するＤ／Ａ変換器１０３ｄと、を備えてなる。
【００１０】
掲示装置１００の映像入力端子１０１に入力された映像信号は、図示しないスイッチを発信者が操作することにより前記記憶部１０３のＡ／Ｄ変換器１０３ａに入力される。記憶部１０３のＡ／Ｄ変換器１０３ａは、入力されたアナログ映像信号をデジタル映像信号に変換して、記憶部１０３の制御部１０３ｃへ出力する。
ここで記憶部１０３の制御部１０３ｃは、変換されたデジタル信号を受け取ると共にデジタル信号を記憶部１０３内のメモリ１０３ｂに書き込み格納する。
メモリ１０３ｂには複数の画面を格納でき、予め設定された任意の複数画面、例えば６つの静止画像に係る映像信号を格納しておくことができる。
【００１１】
また、制御部１０３ｃは、所定の時間が経過するたびにメモリ１０３ｂから映像信号を読み出し、読み出したデジタル映像信号を記憶部１０３のＤ／Ａ変換器１０３ｄへ出力する。なお、発信者が図示しない設定スイッチを操作することにより、複数の静止画像に係る映像信号の各住戸への発信、非発信を静止画像毎に任意に設定することができる。
記憶部１０３のＤ／Ａ変換器１０３ｄは、記憶部１０３の制御部１０３ｃによって読み出されたデジタル信号をアナログ信号に変換して掲示装置１００の変調器１０４へ出力する。
【００１２】
前記掲示装置１００の変調器１０４は、掲示装置１００の記憶部１０３により出力された映像信号及び音声入力端子１０２に入力された音声信号を、前記連絡事項としての映像音声信号が出力される電子掲示板システム用に予め設定されたテレビの空きチャンネルに対応する周波数に変調して出力する。変調器１０４により変調された映像音声信号は同軸ケーブル１１を介して混合器１０に至り、各住戸２に送出される。
このようにして連絡事項としての映像音声信号を各住戸２向けに送出し、各住戸２ではテレビ３を前記所定の空きチャンネルの電子掲示板用チャンネルに合わせることによって、連絡事項としての映像音声が出力される。
【００１３】
【発明が解決しようとする課題】
しかしながら、従来の共聴システムにおける電子掲示板システムにおいては、掲示装置の記憶部に連絡事項としての映像信号が全く格納されていない場合や、格納されているすべての連絡事項を非発信に設定している場合には、掲示装置から送出される映像信号がないために、各住戸のテレビを電子掲示板用のチャンネルに合わせてもテレビには何も表示されずサンドストーム状態となってしまい、各住戸の住民に不快な印象を与えたり、電子掲示板システムやテレビの故障と思わせてしまうことが考えられる。
また、このような状態が続くことにより、各住戸の住民は不快に思うだけでなく、次第にテレビを電子掲示板のチャンネルに合わせなくなり、所定のチャンネルに出力される映像音声により連絡事項を伝達するという共聴システムにおける電子掲示板システムの本来の機能が発揮できなくなるおそれがあった。
【００１４】
また、前記掲示装置の記憶部のメモリは、一度電源が切られると格納されていた映像信号が消去されるため、電源が切れるたびに上述の場合と同様に各住戸のテレビがサンドストーム状態となっていた。停電時にも同様の現象が起こる。
そして、このような状態になるたびに住民は電子掲示板システムやテレビが故障したと誤判断することとなる。
本発明は、このような従来の問題点を鑑みてなされたもので、住民に不快感を与えることがなく、また各住戸に発信する連絡事項の有無にかかわらず情報を提供することができる共聴システムにおける電子掲示板システムを提供することを目的とする。
【００１５】
【課題を解決する手段】
上記課題を解決するために、請求甲に記載の本発明は、任意の共聴信号を受信する受信部と該受信部にて受信した共聴信号を各端末受像装置に伝送する有線経路とを備える共聴システム内に、連絡事項を含む任意の映像信号を格納する記憶手段を備えると共に前記任意の映像信号を送出する掲示装置を設け、該掲示装置から送出した映像信号を前記有線経路を介して各端末受像装置に伝送する共聴システムにおける電子掲示板システムにおいて、
前記掲示装置には、
前記記憶手段に格納される連絡事項を含む映像信号が入力される第一の入力手段と、
前記記憶手段に格納される前記連絡事項を含む映像信号と異なる防災又は防犯目的の監視対象を撮影する監視カメラからの映像信号が入力される第二の入力手段と、
前記記憶手段に格納された映像信号と第二の入力手段に入力される映像信号とを任意に選択して送出する選択手段と、
前記記憶手段には前記第１の入力手段から入力された複数の連絡事項を含む映像信号を予め格納でき、
前記選択手段によって選択され送出されるべき映像信号が前記記憶手段に格納されているかを判断する判断手段と、前記判断手段により前記送出されるべき映像信号が前記記憶手段に格納されている場合には、前記記憶手段に格納された前記映像信号を所定の時間間隔で順次送出し、前記送出されるべき映像信号が格納されていないと判断された場合には、前記選択手段によって選択される信号を前記第二の入力手段に入力された映像信号に切り替えて監視対象の映像を各端末受像装置に送信する切替手段と、を備えてなることを特徴として構成されている。
【００１６】
また請求項２に記載の本発明は、請求項１に記載の本発明において、前記記憶手段に格納された映像信号と前記第二の入力手段に入力された信号とを順次切り替えて送出するように設定する操作手段を備えたことを特徴として構成されている。
【００２１】
【発明の実施の形態】
以下、本発明の一実施形態について図面を参照して詳細に説明する。
図１は本実施形態の共聴システムにおける電子掲示板システムの全体の構成を示す図、図２は図１に係る掲示装置の構成を示す図である。
【００２２】
図１に示すように、本発明たる共聴システムにおける電子掲示板システムは、ＶＨＦ、ＵＨＦの地上波、ＢＳ、ＣＳの衛星波を受信するアンテナ群１ａ及びこれらのアンテナ群１ａによって受信された信号を混合する混合器１ｂからなる受信部１と、該受信部１により受信した信号を各住戸２において映像音声として出力する端末受像装置としてのテレビ３と、映像信号を出力可能なカメラ３０と、各住戸に対する連絡事項を映像音声信号として発信する掲示装置２０と、を備えてなる。
【００２３】
前記カメラ３０は共同住宅周辺あるいは共同住宅内の所定の場所に設置され、取得した映像を映像信号として出力する。
また前記掲示装置２０は、従来と同様に同軸ケーブル１１を介して幹線ケーブルの増幅器９と受信部１との間に設けられた混合器１０に接続されている。
【００２４】
掲示装置２０は、発信者の部屋に設置され予め記憶された連絡事項としての音声映像信号を発信するものであり、図２に示すように、映像信号を入力する第一の入力手段としての主映像入力端子２１ａと、第二の入力手段として副映像入力端子２１ｂと、音声信号を入力する音声入力端子２２と、主映像入力端子２１ａに入力された連絡事項が記された掲示画面としての映像信号を複数画面格納し必要に応じて１画面ずつ順に再生する記憶部２３と、記憶部２３に格納された映像信号と副映像入力端子２１ｂに入力された映像信号とのいずれかを選択可能な選択手段たるスイッチ２４と、スイッチ２４により選択された映像信号及び音声入力端子２２に入力された音声信号を電子掲示板システム用チャンネルに対応した所定の周波数に変調して出力する変調器２５と、変調器２５により変調された映像音声信号を出力する出力端子２６と、を同一筐体内に備えてなる。
【００２５】
掲示装置２０の主映像入力端子２１ａには、ビュアーなどの映像信号を出力可能な装置により出力された信号が入力され、音声入力端子２２には音声信号を出力可能な装置により出力された信号が入力される。
また掲示装置２０の副映像入力端子２１ｂにはカメラ３０が接続されており、該カメラ３０により出力された映像信号が掲示装置２０の副映像入力端子２１ｂに入力される。
【００２６】
記憶部２３は従来と同様に、主映像入力端子２１ａに入力されたビュアー等で取り込んだ掲示画面であるアナログ信号をデジタル信号に変換するＡ／Ｄ変換器２３ａと、Ａ／Ｄ変換器２３ａによって変換されたデジタル信号を格納するメモリ２３ｂと、該メモリ２３ｂに対する読み書き及び信号の入出力を制御する制御部２３ｃと、メモリ２３ｂに格納されたデジタル信号をアナログ信号に変換するＤ／Ａ変換器２３ｄと、を備えてなる。なお、主映像入力端子２１ａに入力される映像信号はデジタル信号であってもよい。
そして掲示装置２０のスイッチ２４は記憶部２３に格納された静止画像の映像信号と副映像入力端子２１ｂに入力される動画像の映像信号とを任意に選択して変調器２５に送出するものである。
【００２７】
ここで従来と同様に、記憶部２３のメモリ２３ｂに主映像入力端子２１ａに入力された連絡事項が記された掲示画面の映像信号が格納され、必要に応じて出力されるが、記憶部２３の制御部２３ｃは、判断手段、操作手段及び切替手段としても機能するものである。
すなわち制御部２３ｃは、メモリ２３ｂに映像信号が格納されているかを所定の間隔にて調べ、メモリ２３ｂに映像信号が全く格納されていない場合にはスイッチ２４に切替信号を送る。切替信号を受け取った選択手段たるスイッチ２４は副映像入力端子２１ｂ側に切り替わり、副映像入力端子２１ｂに入力された映像信号が各住戸のテレビ３に送出される。
したがってメモリ２３ｂに映像信号が全く格納されていなくても、副映像入力端子２１ｂに入力されるカメラ３０により映し出される共同住宅内外の映像が動画像として常に各住戸に送出され、各住戸のテレビでは不快なサンドストーム状態となることはない。
なお、メモリ２３ｂに１以上の掲示画面が格納されていたとしても、その掲示画面のすべてが非発信に設定されている場合であれば、同様にスイッチ２４は副映像入力端子２１ｂ側に切り替わりサンドストーム状態となることはない。
【００２８】
また判断手段としての制御部２３ｃは、掲示装置２０に電源が入ったときにも上述のメモリ２３ｂに掲示画面が格納されているかの判断を行う。
電源が入っていない状態では、記憶部２３のメモリ２３ｂに格納されていた掲示画面は消去されてしまうため、電源投入直後（停電復旧後）の記憶部２３のメモリ２３ｂには掲示画面が全く格納されていない状態となる。
したがって、制御部２３ｃが電源投入直後においてメモリ２３ｂに掲示画面が格納されているかの判断を行うと、メモリ２３ｂには掲示画面が格納されていないので制御部２３ｃは必ず切替信号をスイッチ２４に送ることとなり、スイッチ２４は副映像入力端子２１ｂ側に切り替わる。
これにより災害などによる停電復旧直後から映像音声信号を送出することができるため、住民に電子掲示板システムやテレビの故障と思わせたり、サンドストーム状態による不快感を与えることがない。
【００２９】
なお発信者が図示しない設定スイッチを操作することによっても、前記切替信号がスイッチ２４に送られ、副映像入力端子２１ａに入力された映像信号が各住戸に送出される。
したがって記憶部２３のメモリ２３ｂに映像信号が格納されている場合であっても、強制的にスイッチ２４を副映像入力端子２１ｂ側に切り替えることができる。
【００３０】
ここでカメラ３０を監視の必要な場所に設置することにより、防犯や防災に役立たせることができる。すなわち、カメラ３０を例えば共同住宅近くの公園などに設置すれば、連絡事項の記された掲示画面の映像信号がないときなどに前記設定スイッチを操作してカメラ３０による映像信号を各住戸に送出し、公園の様子を各住戸のテレビ３に映し出すことができる。そのため親は部屋に居ながらにして公園で遊んでいる子供の監視をすることができる。
カメラ３０をその他の監視が必要な場所に設置することにより、本発明たる電子掲示板システムを防犯や防災に役立たせることができる。
【００３１】
また発信者の設定操作によりカメラ３０からの映像を１つの掲示画面として、メモリ２３ｂ内に格納された複数の掲示画面の発信順序の中に含めて各住戸に発信することもできる。
つまり、通常の設定では図３（ａ）に示すように、メモリ２３ｂに格納されて発信許可設定になっている掲示画面が、掲示画面３１ａ、３１ｂ、・・・、３１ｆ、３１ａと順次所定時間間隔で発信される。これに対し、図示しない設定スイッチの操作によりカメラ３０の動画像を一掲示画面として含めて発信するように設定した場合には、図３（ｂ）に示すように掲示画面３１ａ、３１ｂ、・・・、３１ｆと発信した後に、図２のスイッチ２４が副映像入力端子２１ｂ側に切り替わり、カメラ３０からの動画像３２が予め設定された時間だけテレビ３に発信される。
【００３２】
よって、カメラ３０からの動画像を１つの掲示画面として含めて順次掲示画面を送出するようにすれば、通常時であっても部屋に居ながらにして外部の情報を得ることができる。例えば、カメラ３０が公園内を映し出している場合には、常時遊んでいる子供の監視を行うことができる。
なお、このいカメラ３０の動画像の発信順序は図３（ｂ）のように掲示画面３１ｆの後に送出するようにしてもよいし、各掲示画面間毎に送出するようにしてもよく、適宜の送出タイミングでよい。
【００３３】
さてこれまで本発明の一実施形態について説明したが、本発明は上述の実施形態に限定されず、その技術的思想の範囲内において種々異なる形態にて実施されてよいものであり、以下、これら異なる形態について説明する。
本実施形態において受信部１のアンテナ群１ａとしてＶＨＦ、ＵＨＦ、ＢＳ、ＣＳアンテナを使用したが、これらの組合せに限られるものではなく、例えば、ＣＡＴＶなどの受信装置をアンテナ群１ａに加えてもよい。
【００３４】
さらに掲示装置２０は、映像信号と音声信号の双方を発信することとしたが、映像信号のみを発信するものであってもよい。また映像信号を記憶部２３に格納することとしたが、音声信号も記憶部２３に格納することとしてもよい。
また予め決められた時間が経過する毎に、選択手段たるスイッチ２４を切り替えて、記憶部２３に格納された映像信号と副映像入力端子２１ｂに入力された映像信号を切り替えることとしてもよい。
また、第二の入力手段には監視用のカメラの映像を入力するのではなく、発信者を映し出した映像を入力し、発信者からのメッセージを各住戸に発信するようにしてもよい。さらに第二の入力手段には予め決められた映像信号を入力するようにしてもよい。
【００３５】
【発明の効果】
上述したように本発明は共聴システムにおける電子掲示板システムにおいて、掲示装置には、記憶手段に格納される映像信号が入力される第一の入力手段と、記憶手段に格納される映像信号と異なる信号が入力される第二の入力手段と、記憶手段に格納される映像信号と第二の入力手段に入力される信号とを任意に選択して送出する選択手段と、送出されるべき映像信号が記憶手段に格納されているかを判断する判断手段と、判断手段により送出されるべき映像信号が格納されていないと判断された場合には、選択手段によって選択される信号を前記第二の入力手段に入力された信号に切り替える切替手段と、を備えてなることにより、記憶手段に送出するべき連絡事項としての映像信号が格納されていない場合においても、掲示装置からは映像信号が送出されることとなり、各住戸のテレビがサンドストーム状態となることはなく住民に不快な印象を与えることがなく、電子掲示板システムや共聴設備の故障と誤判断させて住民に迷惑をかけることがないという効果がある。
【００３６】
また映像信号を出力可能なカメラを備えると共に、第二の入力手段には前記カメラから出力された映像信号が入力されることにより、監視の必要な場所にカメラを設置すれば、カメラからの映像を各住戸のテレビに出力することができるので、各住戸に居ながら各周辺の状況を知ることができ、特に防犯や防災のための監視をすることができるという効果がある。
これにより各住戸の住民は頻繁にテレビのチャンネルを電子掲示板用のチャンネルに合わせることとなり、電子掲示板システムの機能が十分に発揮されることとなる。
【００３７】
また、記憶手段に格納された映像信号と第二の入力手段から入力された信号を順次切り替えて送出することができる操作手段を備えたことにより、緊急に送出したい連絡事項を追加して送出することができたり、カメラにあっては常時住戸に居ながらにして各周辺の状況を知ることができる。
【図面の簡単な説明】
【図１】本発明の一実施形態における全体の構成を示す図である。
【図２】図１に係る掲示装置の構成を示す図である。
【図３】図１に係る掲示装置から送出される掲示画面の順番を示す図である。
【図４】従来の共聴システムにおける電子掲示板システムの全体構成図である。
【図５】図４に係る掲示装置の構成を示す図である。
【図６】図４に係る掲示装置の記憶部の構成を示す図である。
【符号の説明】
１  受信部
３  テレビ
４  幹線ケーブル
６  分岐ケーブル
８  テレビケーブル
２０  掲示装置
２１ａ  主映像入力端子
２１ｂ  副映像入力端子
２３  記憶部
２３ｂ  メモリ
２３ｃ  制御部
２４  スイッチ
３０  カメラ
【図１】
0003859350.tif 000002
【図２】
0003859350.tif 000003
【図３】
0003859350.tif 000004
【図４】
0003859350.tif 000005
【図５】
0003859350.tif 000006
【図６】
0003859350.tif 000007